(57)【要約】【課題】一般的な印刷インキおよびブランケットを使用した印刷においても、逆トラッピングやパイリングを防止する。【解決手段】多色印刷において、先刷り版の網点を構成する基本単位または最小単位の大きさを、後刷り版の網点を構成する基本単位または最小単位より大きくした印刷網点、印刷版、印刷物、印刷網点形成方法を提供する。【選択図】  図７
2005035040.tif 000002
【特許請求の範囲】
【請求項１】
多色印刷に用いる印刷版に形成する印刷網点であって、
先刷り版の網点を構成する基本単位または最小単位の大きさが、後刷り版の網点を構成する基本単位または最小単位より大きいことを特徴とする印刷網点。
【請求項２】
請求項１記載の印刷網点であって、
先刷り版の網点の平均周囲長が、後刷り版の網点の平均周囲長より長いことを特徴とする印刷網点。
【請求項３】
請求項１または２記載の印刷網点であって、
先刷り版を分割した部分領域毎の網点が、後刷り版面の相当部分領域毎に算出した網点面積率に応じて、後刷り版の網点の大きさよりも大きいことを特徴とする印刷網点。
【請求項４】
網点を有する多色印刷に用いる印刷版であって、
先刷り版の網点を構成する基本単位または最小単位の大きさが、後刷り版の網点を構成する基本単位または最小単位より小さいことを特徴とする印刷版。
【請求項５】
請求項４記載の印刷版であって、
先刷り版の網点の平均周囲長が、後刷り版の網点の平均周囲長より短いことを特徴とする印刷版。
【請求項６】
請求項４または５記載の印刷版であって、
先刷り版を分割した部分領域毎の網点が、後刷り版面の相当部分領域毎に算出した網点面積率に応じて、後刷り版の網点の大きさよりも大きいことを特徴とする印刷版。
【請求項７】
多色刷りされた印刷物であって、
先刷り版の網点を構成する基本単位または最小単位の大きさが、後刷り版の網点を構成する基本単位または最小単位より大きいことを特徴とする印刷物。
【請求項８】
請求項７記載の印刷物であって、
先刷り版の網点の平均周囲長が、後刷り版の網点の平均周囲長より短いことを特徴とする印刷物。
【請求項９】
請求項７または８記載の印刷物であって、
先刷り版を分割した部分領域毎の網点が、後刷り版面の相当部分領域毎に算出した網点面積率に応じて、後刷り版の網点の大きさよりも大きいことを特徴とする印刷物。
【請求項１０】
多色印刷に用いる印刷版の印刷網点を形成する方法であって、
先刷り版の網点を構成する基本単位または最小単位の大きさを、後刷り版の網点を構成する基本単位または最小単位より大きくすることを特徴とする印刷網点形成方法。
【請求項１１】
請求項１０記載の印刷網点形成方法であって、
先刷り版の網点の平均周囲長を、後刷り版の網点の平均周囲長より短くすることを特徴とする印刷網点形成方法。
【請求項１２】
請求項１０または１１記載の印刷網点形成方法であって、印刷版全面を部分領域に分割し、部分領域の各々に対して後刷り版の網点面積率を算出し、後刷り版の部分領域毎の網点面積率に応じて、先刷り版の網点の大きさを大きくすることを特徴とする印刷網点形成方法。
【発明の詳細な説明】
【０００１】
【発明の属する技術分野】
本発明は、多色印刷において生じるパイリングによる不良防止に関する。
【０００２】
【従来の技術】
印刷の階調は、網点と呼ばれるドットの大小、または密度で表現されている。
網点には、様々な種類があるが、図１に示すように、周期型と非周期型、ドット集中型といわれるクラスター型とドット分散型といわれるディスパースト型に大別することができる。
【０００３】
現在広く使われている印刷版の網点は、デジタル的に１０ミクロン前後のレーザーポットのオン／オフにより形成されている。クラスター型網点は、およそ１０×１０〜２０×２０スポットを複数個集めた網点マトリックスを基本単位として網点を形成しており、ディスパースト型網点は、均一の大きさの小点（通常、小点の大きさは数十ミクロン）を最小単位として網点を形成している。
【０００４】
各々の網点は、図２に示すような特徴を有することが知られている。ディスパースト型網点は、インキと紙の境界線の量が多く、図３（ｃ）に図示するような紙の内部の光散乱効果が大きく、図４に示すように網点の周囲にインキ色のついた光が滲み出し中間調の濃度が上昇するので、中間調を有する印刷物においてインキ削減効果がある。
【０００５】
しかしながら、ディスパースト型網点は、階調を再現するために正確な小点再現が要求されるので、上述の通り網点が小さいことにより印刷安定性が悪いという問題がある。
【０００６】
ディスパート型網点の印刷安定性が悪い原因として、図５に示す、紙面に転移した先刷りのインキが、後刷りのブランケットに取られてしまう、逆トラッピングという現象がある。
【０００７】
また、インキとともに紙の繊維や塗工顔料（炭酸カルシウム、カオリンクレーなど）がブランケットに堆積するパイリングといわれる現象があり、堆積個所のインキが紙に転移せず、網点の再現不良が生じることも知られている。
【０００８】
パイリングは、通常のオフセット印刷の過程においても生じるが、逆トラッピングにより後刷りのブランケットに取られた先刷りのインキは、より一層堆積量を増やすことになる。
【０００９】
図６は、４色印刷における逆トラッピングとパイリングを説明する概要図である。湿し水、インキ粘度、温度などの他条件が一定の時、逆トラッピングは、インキが紙に転移した後に接するブランケット数が多い順に、すなわち、１色目＞２色目＞３色目＞４色目の順に、パイリングは、インキ量がより多く転移している紙と接する順に、すなわち、４胴目＞３胴目＞２胴目＞１胴目の順に顕著である。
【００１０】
係る逆トラッピングやパイリングを防止するために、版やブランケットへのパイリングを起こさないオフ輪印刷用のインキ（例えば、特許文献１参照。）や、パイリング現象が生じにくい印刷用ブランケット（例えば、特許文献２参照。）がある。
【００１１】
【特許文献１】
特開平８−１１３７４８号公報
【特許文献２】
特開平９−２９５４６９号公報
【００１２】
【発明が解決しようとする課題】
本発明は、上述の問題点に鑑みてなされたもので、その目的とするところは、一般的な印刷インキおよびブランケットを使用した印刷においても、逆トラッピングやパイリングを防止することである。
【００１３】
【課題を解決するための手段】
上述の課題を解決するために、本発明の第１の態様は、多色印刷に用いる印刷版に形成する印刷網点において、先刷り版の網点を構成する基本単位または最小単位の大きさを、後刷り版の網点を構成する基本単位または最小単位より大きくしたものである。
【００１４】
本発明の第２の態様は、上述の第１の態様に係る印刷網点において、先刷り版の網点の平均周囲長を、後刷り版の網点の平均周囲長より短くしたものである。
【００１５】
本発明の第３の態様は、上述の第１または２の態様に係る印刷網点において、先刷り版を分割した部分領域毎の網点を、後刷り版面の相当部分領域毎に算出した網点面積率に応じて、後刷り版の網点の大きさよりも大きくしたものである。
【００１６】
本発明の第４の態様は、網点を有する多色印刷に用いる印刷版において、先刷り版の網点を構成する基本単位または最小単位の大きさを、後刷り版の網点を構成する基本単位または最小単位より大きくしたものである。
【００１７】
本発明の第５の態様は、上述の第４の態様に係る印刷版において、先刷り版の網点の平均周囲長を、後刷り版の網点の平均周囲長より短くしたものである。
【００１８】
本発明の第６の態様は、上述の第４または５の態様に係る印刷版において、先刷り版を分割した部分領域毎の網点を、後刷り版面の相当部分領域毎に算出した網点面積率に応じて、後刷り版の網点の大きさよりも大きくしたものである。
【００１９】
本発明の第７の態様は、多色刷りされた印刷物において、先刷り版の網点を構成する基本単位または最小単位の大きさを、後刷り版の網点を構成する基本単位または最小単位より大きくしたものである。
【００２０】
本発明の第８の態様は、上述の第７の態様に係る印刷物において、先刷り版の網点の平均周囲長を、後刷り版の網点の平均周囲長より短くしたものである。
【００２１】
本発明の第９の態様は、上述の第７または８の態様に係る印刷物において、先刷り版を分割した部分領域毎の網点を、後刷り版面の相当部分領域毎に算出した網点面積率に応じて、後刷り版の網点の大きさよりも大きくしたものである。
【００２２】
本発明の第１０の態様は、多色印刷に用いる印刷版の印刷網点を形成する方法において、先刷り版の網点を構成する基本単位または最小単位の大きさを、後刷り版の網点を構成する基本単位または最小単位より大きくするようにしたものである。
【００２３】
本発明の第１１の態様は、上述の第１０の態様に係る印刷網点形成方法において、先刷り版の網点の平均周囲長を、後刷り版の網点の平均周囲長より短くするようにしたものである。
【００２４】
本発明の第１２の態様は、上述の第１０または１１の態様に係る網点形成方法において、印刷版前面を部分領域に分割し、部分領域の各々に対して後刷り版の網点面積率を算出し、後刷り版の部分領域毎の網点面積率に応じて、先刷り版の網点の大きさを大きくするようにしたものである。
【００２５】
【発明の実施の形態】
以下、本発明を図示する実施形態に基づいて説明する。図７は、従来の印刷網点と本発明の印刷網点を示す図である。
【００２６】
従来のＦＭスクリーニングにおいては、網点の基本ドットの大きさは同じであるが、本発明の印刷網点においては、後刷り版になるほど、網点の基本ドットの大きさが小さくなる。
【００２７】
図７に示す本発明の印刷網点は、ＫＣＭＹの各印刷版において、印刷網点を形成する基本単位（最小ドット）を、例えば、Ｋ：４０ミクロン、Ｃ：３０ミクロン、Ｍ：２０ミクロン、Ｙ：１０ミクロンとしたものである。
【００２８】
これは、逆トラッピングが網点ドットの大きさと相関があり、小さいドットほど後ろ胴において逆トラッピングが発生する可能性が高いので、後ろ胴の数が多く逆トラッピングが生じやすいと考えられる版の順に、大きな網点ドットにより印刷網点を形成することを示している。
【００２９】
しかしながら、４つの印刷版全てを異なる大きさの網点ドットにより形成する必要はなく、例えば、網点を形成するレーザスポットの大きさや安定性から１０ミクロンのドット形状が不安定になる場合や、４０ミクロンの網点ドットが粒状性において問題となる場合は、Ｋ：３０ミクロン、Ｃ：３０ミクロン、Ｍ：２０ミクロン、Ｙ：２０ミクロンとしてもよい。
【００３０】
また、このような網点ドットの形状差は、印刷版全面に施す場合だけでなく、印刷版を部分領域に分割し、各部分領域毎の後刷り版の網点面積率を求め、該面積率が小さいほど、網点ドットの大きさを大きくするような、部分的な処理でもよい。
【００３１】
これは、逆トラッピングの起きやすさが、後刷り版の網点面積率と負の相関があるから、すなわち、各部分領域毎の後刷り版の網点面積率が少ない程、逆トラッピングが起きやすい事実に基づく。
【００３２】
図１に示した４つの網点方式は、色版において混在させることも可能であり、その場合、網点方式が異なり単純に大きさを比較できないため、後刷り版の網点の平均周囲長を、先刷り版の平均周囲長より長くする。
【００３３】
ここで、平均周囲長とは、図８の破線部で示すように、同じ網点面積率同士の網点部と非網点部の単位面積あたりの境界線の長さの総和とする。一般的に、ディスパースト型の平均周囲長の方が長く、紙とインキの境界による接触量が多い方が、逆トラッピングが発生し難い。
【００３４】
図９は、１胴目のＫ版にクラスター型網点を用い、２胴目のＣ版、３胴目のＭ版、４胴目のＹ版に平均周囲長が段階的に長くなるディスパースト型網点を用いたコンポジット型の例である。
【００３５】
周期的なクラスタ型網点の場合も、重ねあわせモアレの発生を防ぐために、線数と角度を注意深く選択する必要があるが、後刷りの版ほど線数を多くすることによって、同様の印刷適正を得ることが可能である。
【００３６】
印刷網点を生成する方法は、様々に存在するが、ここでは、図１０に示す、ある特定画素の２値化の際に、周辺画素の量子化誤差を特定が素に予め足して２値化する方法として広く知られ誤差拡散法を用いた方法により説明する。
【００３７】
誤差拡散法は、周辺画素値拡散マトリックスを変えることで、平均周囲長を変化させることが可能である。例えば、よく知られているＦｌｏｙｄ型に比べて、Ｊａｖｉｓ型マトリックスは平均周囲長が長くなる。
【００３８】
また、図１０に合わせて示したように、閾値マトリックスを併用することにより、網点ドットの大きさや平均周囲長の調整を行うことも可能である。
【００３９】
上述の他、複数の出力レーザスポットを１つにすることで、例えば、１胴目は４×４スポット、２胴目は３×３スポットというように大きさを変えることもできる。レーザスポットの大きさ自体を変えてもよい。
【００４０】
いずれの方法を取る場合においても、後刷りの印刷版ほど、基本単位（ドットまたは網点マトリックス）を小さくすることにより、本発明の印刷網点を生成することができる。
【００４１】
【発明の効果】
以上のとおり、本発明に係る印刷網点、印刷版および網点形成方法によれば、単一の網点形式の場合は、先刷りの印刷版ほど、基本単位を大きくし、ディスパースト型網点とクラスター型網点が混在する場合は、先刷りの印刷版ほど、平均周囲長を長くして、転移したインキが紙と接する部分を増やし、紙への転移状態を強くすることにより、一般的に使用するインキやブランケットを用いても、後刷りのブランケットによる逆トラッピングを防止することができる。
【００４２】
更に、逆トラッピングを防止したことにより、紙からブランケット転移し、ブランケット上に堆積する先刷りのインキの量が減るので、パイリングも防止することができる。
【図面の簡単な説明】
【図１】網点の種類の説明図である。
【図２】各網点の品質特徴の説明図である。
【図３】紙内部での光の散乱の様子を示す説明図である。
【図４】光の散乱によるインキ色の滲み出し領域の説明図である。
【図５】逆トラッピングとパイリングの説明図である。
【図６】多色印刷時のパイリングの発生の説明図である。
【図７】本発明による印刷網点の例である。
【図８】平均周囲長の説明図である。
【図９】本発明のコンポジット型における印刷網点の例である。
【図１０】本発明の網点形成方法の模式図である。
【図１】
2005035040.tif 000003
【図２】
2005035040.tif 000004
【図３】
2005035040.tif 000005
【図４】
2005035040.tif 000006
【図５】
2005035040.tif 000007
【図６】
2005035040.tif 000008
【図７】
2005035040.tif 000009
【図８】
2005035040.tif 000010
【図９】
2005035040.tif 000011
【図１０】
2005035040.tif 000012